(57)【要約】      （修正有）【課題】テニスボールに釣糸の一端を止着し、他端をリールに繋着して釣糸を卷回し、該リールには、渦巻ばねを内装し、プレーヤーの打球により、釣糸が延伸するとき、リールの回転により渦巻ばねに反発回転力を付勢し、釣糸の延伸位よりリール側へ卷戻してボールを復帰し、打球を反復して行うテニス練習用具を提供しようとするものである。【解決手段】テニスボール１に透明な釣糸２の一端を止着し、他端をリール３の巻枠３ａへ繋着し、該巻枠に釣糸を卷回し、同リールを、支持枠５に軸止した巻心４により軸承し、同巻枠内には渦巻ばね６の外端を、巻心には同渦巻ばねの内端を、それぞれ止着している。【選択図】図３
0003106872.tif 000002
【実用新案登録請求の範囲】
【請求項１】
テニスボール（１）に透明な釣糸（２）の一端を止着し、他端をリール（３）の巻枠（３ａ）へ繋着し、該巻枠に釣糸を卷回し、同リールを、支持枠（５）に軸止した巻心（４）により軸承し、リール内位には渦巻ばね（６）の外端を、巻心（４）に同渦巻ばねの内端を、それぞれ止着してなるテニス練習用具。
【考案の詳細な説明】
【技術分野】
【０００１】  本考案は、テニスにおける打球の模擬練習手段に関するものである。
【背景技術】
【０００２】  テニスにおける模擬練習手段として、投球・打球回収を自動的に反復する、所謂、自動テニス設備、壁面への打球を反射して行う壁打ち及びボールにゴム紐付きのボールの打球をゴムの弾力により返球する練習用具が実施化されているが、自動テニス設備は、自動テニス装置及び建家の設備を要し、壁打ちの壁面はテニスコートの付帯設備として設置され、個々のプレーヤー所有の練習手段ではなく、ゴム紐付きのボールによる練習用具は、個々のプレーヤー所有の練習手段であるが、ゴム紐が太目で、使用中、紐の伸縮状態において、視覚的煩雑感がある。
【考案の開示】
【考案が解決しようとする課題】
【０００３】  本考案は、上記の問題に鑑みてなされたものであって、その目的とするところは、テニスにおける模擬練習装置の設置を要しない、個々のプレーヤー所有の練習手段として、テニスボールに釣糸の一端を止着し、他端をリールに繋着して釣糸を卷回し、該リールには、渦巻ばね（通称ぜんまいばね）を内装し、プレーヤーの打球により、釣糸が延伸するとき、リールの回転により渦巻ばねに反発回転力を付勢し、釣糸の延伸位よりリール側へ卷戻してボールを復帰し、打球を反復して行うテニス練習用具を提供しようとするものである。
【課題を解決するための手段】
【０００４】  上記目的を達成するために、本考案におけるテニス練習用具は、テニスボールに透明な釣糸の一端を止着し、他端をリールの巻枠へ繋着し、該巻枠に釣糸を卷回し、同リールを、支持枠に軸止した巻心により軸承し、リール内位には渦巻ばね（通称ぜんまいばね）の外端を、巻心には同渦巻ばねの内端を、それぞれ止着している。【０００５】  また、上記構成のものにおいて、テニスボール打球練習を開始するとき、プレーヤーの把持するボールを抛出し易くするため、巻枠に卷回した釣糸を、プレーヤーの体格に応じて卷戻し、リールとボールとの間に釣糸の余裕部分を設けることが望ましい。
【考案の効果】
【０００６】  請求項１のテニス練習用具は、テニスボールに釣糸の一端を止着し、他端をリールに繋着して卷回し、該リールには、渦巻ばねを内装しており、プレーヤーは、同リール側より打球して釣糸を延伸し、リールの回転により渦巻ばねに反発回転力を付勢し、該釣糸をリール側へ卷戻すと共にボールをプレーヤー側へ復帰し、反復して打球練習を行うことができる。【０００７】  上記ボールに止着した釣糸は、細く透明であって、打撃練習において、リールによる巻戻しと卷回とを反復して伸縮状態にあるとき、釣糸の空気抵抗が少なく、ボールの往復運動軌跡の乱れが少ないため、正確な打球予測が可能であると共に、釣糸の視覚的煩雑感がなく、打球に対する集中力を乱すことなく適切な打球模擬練習を行うことができる。【０００８】  そして、上記ボールに止着した釣糸は、打球によりボールが最前方に到達するとき、釣糸特有の引張り弾性のため、リール及び渦巻ばねへの急激な張力変動を緩衝し、練習者前方へ釣糸を延伸するボール打球行程と、渦巻ばねの反発回転力により、リール側へ卷戻す返球行程とを円滑に反復することができる。【０００９】  また、本考案のテニス練習用具は、簡単な構成であって、庭園、グラウンドなどの空き地において、単に据え置くだけで、接地部位の滑り止め作用があるため、特に釘やピンなどの設置手段を要せず、打球練習に供することができる。
【考案を実施するための最良の形態】
【００１０】  テニスボール１に透明な釣糸２の一端を止着し、他端をリール３の巻枠３ａへ繋着し、該巻枠に釣糸を卷回し、同リールを、支持枠５に軸止した巻心４により軸承し、リール内位には渦巻ばね６の外端を、巻心４には同渦巻ばねの内端を、それぞれ止着している。【００１１】  また、上記構成のものにより、打球練習を行うよるプレーヤーＭが、把持するボールを抛出して打球動作を行うため、プレーヤーの体格に応じて、巻枠に卷回した釣糸を卷戻し、リールとボールとの間に釣糸の余裕部分２ａを設けることが望ましい。
【実施例１】
【００１２】  図１において、本考案テニス練習用具実施例の外形立面図を示し、テニスボール１に釣糸２の一端を止着し、釣糸の余裕部分２ａを残して、他端をリール３へ卷回し、同リールを、支持枠５により軸承している。【００１３】  図２において、図１のＡ−Ａにおける断面図を示し、リール３を支持枠５に軸止した巻心４により軸承し、釣糸２を卷回した巻枠３ａの内位には、リール３と巻心４との間に渦巻ばね６を卷装状に介設している。【００１４】  図３において、図２のＢ−Ｂにおける断面図を示し、リール３を支持枠５に軸止した巻心４により軸承し、釣糸２を卷回した巻枠３ａ内位には、リール３と巻心４との間に渦巻ばね６を卷装状に介設している。【００１５】  図４において、本考案テニス練習用具のリールとボールとの間に釣糸の余裕部分２ａを設け、プレーヤーＭの打球に際し、打球点ａより前方への打球行程として、到達点ｂまで釣糸を延伸し、該釣糸の延伸とともに、リールの回転により渦巻ばねに反発回転力が蓄積され、直ちに、リール側へ釣糸を卷戻す返球行程に移行し、返球行程中途の地面上バウンド点ｃを経て、打球点ａ付近へ返球され、次の打球行程を反復して行う、所謂、グラウンドストロークの模擬練習状況の概要を示しており、また、返球行程において、バウンド点ｃを経ることなく、直接、打球点ａ付近へ返球するときは、所謂、ボレーの練習ができる。
【実施例２】
【００１６】  図５において、本考案テニス練習用具の、他の実施例の外形立面図を示し、リール３に軸止した巻心４を支持枠５に軸承し、釣糸２を巻枠３ａに卷回し、リール３外側位には、巻心４と支持枠５に軸止した副巻心４ａとの間にＳ型渦巻ばね（通称Ｓ字ぜんまいばね）６ａを卷架し、リールの作動回転数ならびに打球行程に要する釣糸の長さを確保している。
【実施例３】
【００１７】  図６において、上記実施例２におけるＳ型渦巻ばね６と同様に、リール３外側位には、密着巻きぜんまいばねを副巻心４ａ周りに巻装し、出力側リールの巻心４周りへ密着状に巻回する、２軸型の定トルク渦巻ばね（通称定トルクぜんまいばね）６ｂを適用することにより、一定トルクでリールを回転して釣糸を一定張力に維持し、打球行程及び返球行程を安定状態に維持するとともに、打球行程に要するリールの作動回転数ならびに釣糸の長さを設定している。
【産業上の利用可能性】
【００１８】  本考案は、テニス模擬練習装置の設置を要しない、個々のプレーヤー所有のテニス模擬練習用具とするとともに、構成を軽量小型化し、卓球練習用具としても適用できる。
【図面の簡単な説明】
【００１９】
【図１】  本考案テニス練習用具外形の立面図である。（実施例１）
【図２】  図１のＡ−Ａにおける断面図である。（実施例１）
【図３】  図２のＢ−Ｂにおける断面図である。（実施例１）
【図４】  本考案テニス練習用具による模擬練習状況の概要図である。
【図５】  本考案テニス練習用具外形の立面図である。（実施例２）
【図６】  本考案テニス練習用具外形の立面図である。（実施例３）
【符号の説明】
【００２０】  １  テニスボール
２  釣糸
３  リール
３ａ  巻枠
４  巻心
４ａ  副巻心
５  支持枠
６  渦巻ばね
６ａ  Ｓ型渦巻ばね
６ｂ  定トルク渦巻ばね
７  滑り止め
Ｍ  プレーヤー
【図１】
0003106872.tif 000003
【図２】
0003106872.tif 000004
【図３】
0003106872.tif 000005
【図４】
0003106872.tif 000006
【図５】
0003106872.tif 000007
【図６】
0003106872.tif 000008